(57)【特許請求の範囲】
【請求項１】
バイオリン本体に突設したネック部を親指と人差指との間の指二又部及び掌部で支持する左手保型のための左手保型補助具であり、
左手保型補助具は、
ネック先端部下側面に当接する略長方形の補助具本体と、
親指と人差指の正しい位置決めのために補助具本体の前半部側縁に立設した指定置突部と、
親指と人差指とこの二指の間の二又部とによりネック先端部を環状型に囲繞するために補助具本体の前半部下側部に垂設した指二又部定置突部と、
左手の掌部をネック部下方で正しい角度に保型するために補助具本体の後半部下側に垂設した後方下り勾配の掌傾斜突部とより構成したバイオリンのネック部における左手保型用補助具。
【請求項２】
指定置突部は、親指位置決めのための親指用突部よりなり、親指用突部は補助具本体の前半部左側縁に立設した請求項１に記載のバイオリンのネック部における左手保型用補助具。
【請求項３】
指定置突部は、親指位置決めのための親指用突部と人差指位置決めのための人差指用突部とよりなり、親指用突部は補助具本体の前半部左側縁に、人差指用突部は補助具本体の前半部右側縁にそれぞれ立設した請求項１に記載のバイオリンのネック部における左手保型用補助具。
【請求項４】
補助具本体と、指定置突部と、指二又部定置突部と、掌傾斜突部とは、一体に形成した請求項１乃至３のいずれか１項に記載のバイオリンのネック部における左手保型用補助具。
【請求項５】
補助具全体を弾性素材で形成した請求項１乃至４のいずれか１項に記載のバイオリンのネック部における左手保型用補助具。
【発明の詳細な説明】
【技術分野】
【０００１】
この発明は、初心者がバイオリンのネック部に沿ってネック部に張った弦を運指して演奏する際に正しい左手の型を覚えるための左手保型用補助具に関する。
【背景技術】
【０００２】
従来、初心者がバイオリンの練習を行う際の重要な要素は、ネック部にそえた左手、特に親指と人差指と掌の左手姿勢を正しく設定して練習することである。
【０００３】
例えば、左手がバイオリン本体に延設したネック部先端部を把持する姿勢で左手によりバイオリンを保持すると、本来顎と左肩で支持するべき姿勢が崩れてネック部の位置が高くなり円滑な運指が不可能となり正確な音程と速度で演奏することができなくなる。
【０００４】
そこで、特に初心者には、左手の姿勢を正しく指導するために親指と人差指の位置を正しく設定し親指と人差指で形成する指環状型によってネック部に沿った左手摺動と運指を行うよう指導するために左手の親指と人差指及び掌が正しい位置となりネック部下側面と左手の掌との間に所定形状の空間が形成されるように指導する。
【０００５】
例えば、特許文献１には、バイオリンのトレーニング器が開示されている。
【先行技術文献】
【特許文献】
【０００６】
【特許文献１】特開２００８−４０４３９号公報
【発明の概要】
【発明が解決しようとする課題】
【０００７】
しかし、初心者は、左手の姿勢を指導されるような型に矯正保型しながら演奏することは困難をともない、練習中に左手の人差指や親指の位置がずれたり、これらの指と左手の掌で竿状のネック部を棒握りするような姿勢で支持しがちとなる。
【０００８】
従って、バイオリンの初心者には左手の親指と人差指、及び掌の位置等を正しく保型するための練習方策が望まれていた。
【０００９】
この発明は、かかる事情のもとに開発されたネック部に対する指の型又掌の型を正しい姿勢に保型するための補助具である。
【課題を解決するための手段】
【００１０】
請求項１に記載の発明は、バイオリン本体に突設したネック部を親指と人差指との間の指二又部及び掌部で支持する左手保型のための左手保型補助具であり、左手保型補助具は、ネック先端部下側面に当接する略長方形の補助具本体と、親指と人差指の正しい位置決めのために補助具本体の前半部側縁に立設した指定置突部と、親指と人差指とこの二指の間の指二又部とによりネック先端部を環状型に囲繞するために補助具本体の前半部下側部に垂設した指二又部定置突部と、左手の掌部をネック部下方で正しい角度に保型するために補助具本体の後半部下側に垂設した後方下り勾配の掌傾斜突部とより構成したバイオリンのネック部における左手保型用補助具を提供するものである。
【００１１】
請求項２に記載の発明は、指定置突部は、親指位置決めのための親指用突部よりなり、親指用突部は補助具本体の前半部左側縁に立設したことにも特徴を有する。 
【００１２】
請求項３に記載の発明は、指定置突部は、親指位置決めのための親指用突部と人差指位置決めのための人差指用突部とよりなり、親指用突部は補助具本体の前半部左側縁に、人差指用突部は補助具本体の前半部右側縁にそれぞれ立設したことにも特徴を有する。 
【００１３】
請求項４に記載の発明は、補助具本体と指定置突部と、指二又部定置突部と、掌傾斜突部とは、一体に形成したことにも特徴を有する。
【００１４】
請求項５に記載の発明は、補助具全体を弾性素材で形成したことにも特徴を有する。
【発明の効果】
【００１５】
請求項１に記載の発明によれば、左手保型補助具を補助具本体と指定置突部と指二又定置突部と、掌傾斜部とより構成し、指定置突部は補助具本体の前半部側縁に立設し、指二又定置突部は、補助具本体の前半部下側に垂設し、掌傾斜突部は、補助具本体の後半部下側に垂設したことにより、ネック部先端において人差指と親指の正しい位置決めが可能となり、また、これらの各指間の指二又部とにより人差指と親指でネック先端部を環状に正しく囲繞することができ、更には、左手の掌部をネック部下方で掌傾斜突部の傾斜に沿って正しい角度に設定することができることになり、その結果、人差指と親指と掌の位置が正しく矯正保型されてネック部の正しい姿勢が保持され、指の運指も正しく円滑に行えるようになり、初心者のバイオリン技術の向上に大きく貢献することができる効果がある。
【００１６】
請求項２および３に記載の発明によれば、人差指用突部と親指用突部とにより、無意識に奏者が各突部に各指を当接するのみで人差指と親指の位置決めがより正確に行われるので自然に正しいネック部の保持技術が得られる効果がある。
【００１７】
請求項４および５に記載の発明によれば、補助具本体と該本体に突設した各突部を弾性素材で一体に形成したことにより、手首の各部位の接触負担を可及的に少なくして接触時の違和感を生起しないと共に、スポンジやラバー樹脂等で一体成型が可能となり、補助具構造を正確に、かつ安価に製造しやすくなり、バイオリン奏者に広く普及しやすくなる効果がある。
【図面の簡単な説明】
【００１８】
【図１】バイオリンの使用状態を示す斜視図である。
【図２】（ａ）はバイオリンに左手保型用補助具を装着前の状態を示す分解側面図である。（ｂ）はバイオリンに左手保型用補助具を装着し左手を添えた状態を示す説明図である。
【図３】（ａ）は、バイオリンに左手を添えた状態を示す説明図である。（ｂ）は、バイオリンに左手保型用補助具を装着し左手を添えた状態を示す説明図である。
【図４】（ａ）は図３（ｂ）に示すＩ−Ｉ線断面図である。（ｂ）は図３（ｂ）に示すＩＩ−ＩＩ線断面図である。（ｃ）は図３（ｂ）に示すＩＩＩ−ＩＩＩ線断面図である。
【図５】左手保型用補助具の意匠を示す図である。
【図６】他の左手保型用補助具の意匠を示す図である。
【図７】変形例の左手保型用補助具の意匠を示す図である。
【発明を実施するための形態】
【実施例】
【００１９】
この発明は、バイオリン本体に突設したネック部を親指と人差指との間の指二又部及び掌部で支持する左手保型のための左手保型補助具であり、左手保型補助具は、ネック先端部下側面に当接する略長方形の補助具本体と、親指と人差指の正しい位置決めのために補助具本体の前半部側縁に立設した指定置突部と、親指と人差指とこの二指の間の二又部とによりネック先端部を環状型に囲繞するために補助具本体の前半部下側部に垂設した指二又部定置突部と、左手の掌部をネック部下方で正しい角度に保型するために補助具本体の後半部下側に垂設した後方下り勾配の掌傾斜突部とより構成したバイオリンのネック部における左手保型用補助具。
【００２０】
また、指定置突部は、親指位置決めのための親指用突部よりなり、親指用突部は補助具本体の前半部左側縁に立設したバイオリンのネック部における左手保型用補助具に関する。 
【００２１】
また、指定置突部は、親指位置決めのための親指用突部と人差指位置決めのための人差指用突部とよりなり、親指用突部は補助具本体の前半部左側縁に、人差指用突部は補助具本体の前半部右側縁にそれぞれ立設したバイオリンのネック部における左手保型用補助具に関する。
【００２２】
また、補助具本体と、指定置突部と、指二又部定置突部と、掌傾斜突部とは、一体に形成したバイオリンのネック部における左手保型用補助具に関する。
【００２３】
また、補助具全体を弾性素材で形成したバイオリンのネック部における左手保型用補助具関する。
【００２４】
この発明の実施例を図面に基づき詳説する。図１はバイオリンの使用状態を示す斜視図である。図２（ａ）はバイオリンに左手保型用補助具を装着前の状態を示す分解側面図である。図２（ｂ）はバイオリンに左手保型用補助具を装着し左手を添えた状態を示す説明図である。図３（ａ）は、バイオリンに左手を添えた状態を示す説明図である。図３（ｂ）は、バイオリンに左手保型用補助具を装着し左手を添えた状態を示す説明図である。図４（ａ）は図３（ｂ）に示すＩ−Ｉ線断面図である。図４（ｂ）は図３（ｂ）に示すＩＩ−ＩＩ線断面図である。図４（ｃ）は図３（ｂ）に示すＩＩＩ−ＩＩＩ線断面図である。図５は、左手保型用補助具の意匠を示す図である。
【００２５】
この発明の左手保型用補助具に用いるバイオリンＡは、図１に示すようにバイオリン本体Ｂとネック部Ｃとにより構成し、ネック部Ｃの先端とバイオリン本体Ｂの中央部との間に張設した弦Ｄを弓で摩擦して音を生成するように構成されている。
【００２６】
ネック部Ｃは、図２（ａ）、（ｂ）に示すように、上面に指板Ｅが貼設され指板Ｅに左手の四本の指で弦Ｄを押圧して音程操作を行う。
【００２７】
このように、ネック部Ｃ上方に張設された弦Ｄを押える操作はまず、バイオリン本体Ｂ後部をあごと左肩との間で挟み込んでバイオリン本体Ｂの支持状態で左手ＨＬによってネック部Ｃを握る姿勢とし、特に親指Ｆ１を人差指Ｆ２とでネック部Ｃを囲繞した環状形態をつくり、左手ＨＬがネック部Ｃに沿って摺動可能とすると共に、人差指Ｆ２、中指Ｆ３、薬指Ｆ４、小指Ｆ５の四本の指が弦Ｄを押えて演奏できる形態にする。
【００２８】
バイオリン演奏にはかかる基本的な左手ＨＬの姿勢を必要とする。
【００２９】
本発明では、かかるバイオリン演奏に必要な基本的な左手ＨＬの演奏姿勢を体感的に体に記憶させるための左手保型用補助具１に係るものである。
【００３０】
左手保型用補助具１は、図２（ａ）、図３（ｂ）、図５に示すように、補助具本体２と、指定置突部３と、指二又部定置突部４と、掌傾斜突部６とより構成されており、これらはスポンジやゴムや合成樹脂などの弾性素材により一体に形成されている。
【００３１】
補助具本体２は、ネック先端部Ｃ１の下側面に当接する略長方形の一定厚みを有したブロック状に構成されている。
【００３２】
補助具本体２の前半部両側縁には、二本の突部すなわち、指定置突部３が立設されており、指定置突部３は、親指Ｆ１側部を当接するための親指用突部３ａと人差指側部を当接するための人差指用突部３ｂ突設されており、これらの指定置突部３に対応して、その後方にも同じく親指用副突部５が突設されている。
【００３３】
従って、親指用突部３ａと親指用副突部５との間には、親指Ｆ１が嵌入される親指凹部７が形成され、人差指用突部３ｂと後半部上側部との間には、人差指Ｆ２、中指Ｆ３、薬指Ｆ４、小指Ｆ５が嵌入される人差指凹部８が形成されることになる。
【００３４】
更には、図４（ａ）、（ｂ）、（ｃ）、図５に示すように、補助具本体２の前半部下側部には指二又部定置突部４を垂設しており、指二又部定置突部４は、親指Ｆ１と人差指Ｆ２との間の二又部が当接する型に形成されており、この二指による二又部で形成される環状型によってネック先端部Ｃ１を囲繞する。
【００３５】
また、補助具本体２の後半部下側には後方下り勾配に形成した掌傾斜突部６が垂設されている。
【００３６】
この掌傾斜突部６は、左手でネック部Ｃを把握した場合に、左手ＨＬの掌がネック部Ｃ下方において正しい角度に保型されるように左手ＨＬの把持形態を矯正するために用いられる。
【００３７】
かかる構造の左手保型用補助具１は、使用に際しては、予めネック部Ｃの先端下側面に装着する。
【００３８】
従って、図５に示すように、左手保型用補助具１における補助具本体２上面はネック部Ｃ下側面に貼着、剥離可能に粘着性のシリコン素材等による接着テープ９で構成することができる。
【００３９】
このように、左手保型用補助具１をネック部Ｃ先端下側面に装着した後には奏者は左手ＨＬを添えて補助具本体２と一体にネック部Ｃ先端を囲繞する。
【００４０】
すなわち、親指Ｆ１を親指用突部３ａと親指用副突部５の間に嵌入して各突部に親指側部を当接して親指Ｆ１を正しい位置に設定すると共に、人差指Ｆ２は人差指用突部３ｂに当接し人差指Ｆ２を正しい位置に設定する。
【００４１】
同時に、左手の掌も掌傾斜突部６に当接した状態とすることにより、ネック部Ｃの先端部を親指Ｆ１と人差指Ｆ２との環状型で囲繞し、掌をネック部Ｃ下方の正しい位置に配することができ、演奏時の左手ＨＬの正しい姿勢を実現できることになり、体感的にこの左手ＨＬの正しい姿勢を体に記憶させることができる。
【００４２】
図６に示す左手保型用補助具１１は、図５に示す左手保型用補助具の他の実施例であり、親指用突部３ａと親指用副突部５のみを立設した点が異なる構成である。図６の左手保型用補助具１１の各構成について、図５の左手保型用補助具１の各構成と同一のものについて同一符号を付して説明を省略する。
【００４３】
図６に示すように、他の左手保型用補助具１１は、補助具本体２と、指定置突部３の親指用突部３ａと、親指用副突部５と、指二又部定置突部４と、掌傾斜突部６とより構成されており、指定置突部３は親指用突部３ａのみで構成している。
【００４４】
親指Ｆ１が親指用突部３ａと親指用副突部５の間に嵌入して各突部に親指側部を当接することで、親指Ｆ１を正しい位置に設定することができる。
【００４５】
左手保型用補助具１１には、人差指用突部３ｂがないが、親指Ｆ１が正しい位置に設定され、かつ、指二又部定置突部４および掌傾斜突部６によって左手の掌を正しい位置に配することができるので、演奏時の左手ＨＬの正しい姿勢を実現できることになり、体感的にこの左手ＨＬの正しい姿勢を体に記憶させることができる。
【００４６】
図７は、左手保型用補助具２１は、図５に示す左手保型用補助具１の変形の実施例であり、指定置突部の構成が異なる。図７の左手保型用補助具２１の各構成について、図５の左手保型用補助具１の各構成と同一のものについて同一符号を付して説明を省略する。
【００４７】
図７に示すように、変形例の左手保型用補助具２１は、補助具本体２と、指定置突部３’と、親指用副突部５と、指二又部定置突部４と、掌傾斜突部６とより構成されている。
【００４８】
指定置突部３’は、バイオリンのネック部Ｃに装着脱着自在とするＵ字形状の装着部３ｃ’と親指用突部３ａ’と人差指用突部３ｂ’で構成している。
【００４９】
変形例の左手保型用補助具２１によれば、指定置突部３’の構成とすることにより、バイオリンのネック部Ｃに装着するためのシリコン素材等による接着テープ９が不要となる効果がある。
【００５０】
また、左手保型用補助具２１では、指定置突部３’の親指用突部３ａ’と親指用副突部５により親指Ｆ１が、人差指用突部３ｂ’により人差指Ｆ２が正しい位置に設定され、かつ、指二又部定置突部４および掌傾斜突部６によって左手の掌を正しい位置に配することができるので、演奏時の左手ＨＬの正しい姿勢を実現できることになり、体感的にこの左手ＨＬの正しい姿勢を体に記憶させることができる。
【００５１】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００５２】
Ａ  バイオリン
Ｂ  バイオリン本体
Ｃ  ネック部
Ｃ１  ネック先端部
Ｄ  弦
Ｅ  指板
１，１１，２１  左手保型用補助具
２  補助具本体
３  指定置突部
４  指二又部定置突部
５  親指用副突部
６  掌傾斜突部
７  親指凹部
８  人差指凹部
９  接着テープ
【要約】
【課題】ネック部に対する指の型又掌の型を正しい姿勢に保型するための補助具である。
【解決手段】左手保型補助具は、ネック先端部下側面に当接する略長方形の補助具本体と、親指と人差指の正しい位置決めのために補助具本体の前半部側縁に立設した指定置突部と、親指と人差指との間の指二又部とによりネック先端部を環状型に囲繞するために補助具本体の前半部下側部に垂設した指二又部定置突部と、左手の掌部をネック部下方で正しい角度に保型するために補助具本体の後半部下側に垂設した後方下り勾配の掌傾斜突部とより構成したバイオリンのネック部における左手保型用補助具を提供する。
【選択図】図５【図１】
0005695262.tif 000002
【図２】
0005695262.tif 000003
【図３】
0005695262.tif 000004
【図４】
0005695262.tif 000005
【図５】
0005695262.tif 000006
【図６】
0005695262.tif 000007
【図７】
0005695262.tif 000008